(57)【要約】【課題】タービン排気ガスにおいて湿潤蒸気が使用可能な蒸気タービン性能試験システム及び方法を提供すること。【解決手段】バイパス装置が入口又は供給蒸気を用いて蒸気タービン発電プラントにおける排気口蒸気を過熱する。次いで、バイパス蒸気、タービン入口、及びタービン排気状態の測定値を用いて、タービンの排気口エンタルピーを決定し、次に、この排気口エンタルピーを用いて、効率などの蒸気タービンの性能特性を決定することができる。【選択図】      図１
2014074403.tif 000002
【特許請求の範囲】
【請求項１】
蒸気タービン性能試験システムであって、
蒸気タービンの排気口と選択的に流体連通するよう配列され、前記蒸気タービンの排気の一部を排気口バイパス流として受けるように配列される排気口バイパス導管と、
蒸気タービンの入口と選択的に流体連通するよう配列され、前記蒸気タービンの入口蒸気流の一部を入口バイパス流として受けるように配列される入口バイパス導管と、
前記排気口バイパス導管及び前記入口バイパス導管と流体連通したある端部にて混合ポイントを有する混合流導管と、
を備え、前記混合ポイント及び前記混合流導管が、前記混合ポイントを通って混合流導管に流入する前記排気口バイパス流及び前記入口バイパス流に応答して混合流を形成するように配列されている、蒸気タービン性能試験システム。
【請求項２】
前記排気口バイパス流、前記入口バイパス流、及び前記混合流の各々の少なくとも１つの特性を測定するために配備されたセンサーと、
前記センサーと通信し、前記センサーからの少なくとも１つの測定値を用いて前記混合ポイントにわたるヒートバランスに少なくとも部分的に基づいて蒸気タービンの排気口エンタルピーを決定するよう構成されたコンピュータデバイスと、
を更に備え、前記ヒートバランスの第１の側面が前記入口バイパス流及び前記排気口バイパス流を含み、前記ヒートバランスの第２の側面が前記混合流を含む、請求項１記載の蒸気タービン性能試験システム。
【請求項３】
前記コンピュータデバイスが更に、記憶された排気口エンタルピー値を用いて前記蒸気タービンの性能特性を決定する、請求項２記載の蒸気タービン性能試験システム。
【請求項４】
前記少なくとも１つの特性が、流量、圧力、又は温度のうちの少なくとも１つを含む、請求項２記載の蒸気タービン性能試験システム。
【請求項５】
前記少なくとも１つの特性が、入口圧力ＰInlet、入口温度ＴInlet、排気口圧力ＰExhaust、入口バイパス圧力ＰBypass、入口バイパス温度ＴBypass、入口バイパス流量ＱBypass、混合流圧力ＰMix、混合流温度ＴMix、及び混合流量ＱMixを含む、請求項４記載の蒸気タービン性能試験システム。
【請求項６】
前記排気口エンタルピーが、次の関係式を用いて少なくとも部分的に決定される、請求項２記載の蒸気タービン性能試験システム。
【数１】
2014074403.tif 000008
式中、ｈBypassは入口バイパス流のエンタルピーであり、ｈMixは混合流エンタルピーであり、ＱMixは混合流の流量であり、ＱBypassは入口バイパス流の流量である。
【請求項７】
前記センサーは、該センサーが含まれる入口バイパス測定ステーション又は混合流測定ステーションのうちの少なくとも１つの一部である、請求項２記載の蒸気タービン性能試験システム。
【請求項８】
前記コンピュータデバイスが、前記蒸気タービンの入口又は前記蒸気タービンの排気口のうちの少なくとも１つの特性の測定値を受け取る、請求項２記載の蒸気タービン性能試験システム。
【請求項９】
蒸気タービンであって、
入口及び排気口を有し、該入口が蒸気供給源に接続するよう配列されたタービンと、
前記入口における特性を測定するよう配列された入口測定ステーションと、
前記排気口における特性を測定するよう配列された排気口測定ステーションと、
前記タービンの入口端部にある入口バイパスポートと、
前記入口バイパスポートと流体連通して入口蒸気を選択的に流入させることができて入口バイパス流を形成するように配列された入口バイパス導管と、
前記入口バイパス導管における特性を測定するよう配列された入口バイパス測定ステーションと、
前記タービンの排気端部にある排気口バイパスポートと、
前記排気口バイパスポートと選択的に流体連通して排気蒸気を選択的に流入させることができて排気口バイパス流を形成するように配列された排気口バイパス導管と、
前記入口バイパス導管及び前記排気口バイパス導管と流体連通し、混合ポイントにて前記入口バイパス流及び前記排気口バイパス流を受けてこれらの混合を可能にして混合流を形成するように配列された混合流導管と、
前記混合流導管における特性を測定するよう配列された混合流測定ステーションと、
少なくとも前記入口バイパス測定ステーション及び前記混合流測定ステーションと通信して測定値を受け取り、前記測定ステーションから受け取った測定値に少なくとも部分的に基づいて前記蒸気タービンの排気口エンタルピーを決定するよう配列されたコンピュータデバイスと、
を備える、蒸気タービン。
【請求項１０】
前記入口バイパスポート及び前記排気口バイパスポートのうちの少なくとも１つへの蒸気の選択的通過が、それぞれのバルブによって少なくとも部分的に制御される、請求項９記載の蒸気タービン。
【請求項１１】
前記コンピュータデバイスが、以下の関係式に従って前記タービンの排気口エンタルピーを決定する、請求項９記載の蒸気タービン性能試験システム。
【数２】
2014074403.tif 000009
式中、ｈMixは混合流のエンタルピーであり、ｈBypassは入口バイパス流のエンタルピーであり、ＱMixは混合流の流量であり、ＱBypassは入口バイパス流の流量である。
【請求項１２】
前記コンピュータデバイスによって決定される性能特性が前記タービンの効率であって、該効率が以下の関係式に従って決定され、前記入口測定ステーションで少なくとも入口圧力ＰInlet及び入口温度ＴInletを測定し、前記排気口測定ステーションで少なくとも排気圧力ＰExhaustを測定する、請求項１１記載の蒸気タービン性能試験システム。
【数３】
2014074403.tif 000010
【請求項１３】
入口と排気口とを有する蒸気タービンの性能試験を可能にするコンピュータプログラムであって、実行時に、
前記排気口からの排気口蒸気の一部を前記入口からの入口蒸気の一部と共に混合ポイントにて加熱することによって形成される混合流のエンタルピーｈMixを少なくとも決定し、
前記入口蒸気の一部のｈInletを少なくとも決定し、
前記混合ポイントの一方の側面上の前記混合流と、前記混合ポイントの別の側面上の前記排気口蒸気の一部及び前記入口蒸気の一部との間でヒートバランスを確立させ、
前記ヒートバランスに少なくとも部分的に基づいて前記排気口蒸気の排気口エンタルピーｈExhaustを決定する、
ようにコンピュータデバイスを構成したコンピュータ実行可能コードの形態の命令を含む、コンピュータプログラム。
【請求項１４】
前記ヒートバランスを確立させるために、前記コンピュータデバイスが更に、
前記入口蒸気の一部の入口バイパス流エンタルピーｈBypassを決定し、
前記入口蒸気の一部の入口バイパス流量ＱBypassを決定し、
前記混合流の流量ＱMixを決定し、
以下の関係を用いて排気口エンタルピーｈExhaustを決定する
ように構成されている、請求項１３記載のコンピュータプログラム。
【数４】
2014074403.tif 000011
【請求項１５】
前記入口バイパス流エンタルピー又は前記混合流エンタルピーのうちの少なくとも１つを決定するために、前記コンピュータデバイスが更に、前記入口バイパス流及び前記混合流それぞれの温度及び圧力を測定するよう構成されている、請求項１４記載のコンピュータプログラム。
【請求項１６】
前記入口バイパス流量又は前記混合流量のうちの少なくとも１つを決定するために、前記コンピュータデバイスが更に、前記入口バイパス流及び前記混合流それぞれの温度ＴBypass又はＴMix、及び圧力ＰBypass又はＰMixを測定し、該圧力、温度、及び流量の間の関係を用いるよう構成されている、請求項１４記載のコンピュータプログラム。
【請求項１７】
前記コンピュータデバイスが更に、前記排気口エンタルピーを用いて前記蒸気タービンの性能特性を決定するよう構成されている、請求項１４記載のコンピュータプログラム。
【請求項１８】
前記性能特性が効率ηであり、前記コンピュータデバイスが更に、以下の関係式に従って効率を決定するように構成されている、請求項１７記載のコンピュータプログラム。
【数５】
2014074403.tif 000012
式中、ｈpsは特定の圧力及びエントロピーでのエンタルピーを表し、ｓInletは入口圧力ＰInlet及び入口エンタルピーｈInletでのエントロピーを表す。
【請求項１９】
前記コンピュータプログラムが性能試験システムから情報を受け取るよう構成され、前記情報が、前記混合流と前記位置口蒸気の一部の各々の少なくとも１つの特性を含み、前記性能試験システムが、前記蒸気タービンに選択的に設置するように構成されており、
前記入口から前記入口蒸気の一部を選択的に分流して入口バイパス流を形成するよう配列された入口バイパス導管と、
前記排気口から前記排気口蒸気の一部を選択的に分流して排気口バイパス流を形成するよう配列された排気口バイパス導管と、
前記入口バイパス導管及び前記排気口バイパス導管と流体連通した混合ポイントを含み、前記入口バイパス流及び前記排気口バイパス流が混合して混合流を形成し、前記排気口バイパス流を前記入口バイパス流と共に加熱する混合流導管と、
前記入口バイパス流及び前記混合流の各々のそれぞれの特性を測定するよう配備されたセンサーと、
を含み、前記各センサーが、前記コンピュータデバイスと通信し前記測定した特性を前記コンピュータデバイスに送信するように配列されている、請求項１３記載のコンピュータプログラム。
【発明の詳細な説明】
【技術分野】
【０００１】
本開示は全体的に、発電プラントの制御に関し、より詳細には、湿潤蒸気が存在する場合でも蒸気タービンの性能特性の決定に関する。
【背景技術】
【０００２】
発電では、発電システムで電気を発生させるのに蒸気タービン及び／又は複合サイクル発電プラントを利用することが一般的である。このような発電プラントは通常、例えば、蒸気タービンの性能特性を決定して障害を監視し及び／又は電力発生を強化している。しかしながら、一部の作動条件は、蒸気タービンの性能特性の直接的決定をもたらすものではない。特に、原子力及び集光型太陽光設備において使用されるような、特定の構成内の蒸気タービンセクションは、飽和ラインを下回る排気状態をもたらし、結果として排気口にて湿潤蒸気を生じる場合がある。従来では、湿潤蒸気を有するタービンセクションの性能は、放射性トレーサー注入及びサンプリングシステムを用いて決定されているので、湿潤蒸気が存在するときにセクション性能を測定することは極めて困難で及び／又は高価である。高価であることに加えて、従来技術は、不確実性が高く、危険を伴う場合もある。
【０００３】
図１で分かるように、典型的な蒸気タービンセクションは、入口１２０と排気口１３０とを有するタービン１１０を含むことができる。湿潤排気が存在しない場合の蒸気タービン１１０の性能は、蒸気タービンセクション１００のタービン入口１２０及び排気口１３０又は低温再熱部１３５の圧力及び温度の測定に基づいて決定することができる。例えば、１つ又はそれ以上のセンサー１４２を含む入口測定ステーション１４０及び／又は１つ又はそれ以上のセンサー１５２を含む排気口測定ステーション１５０を利用して、圧力及び温度を測定することができる。このような測定を用いると、入口エンタルピーｈInletは、米国機械学会（ＡＳＭＥ）から提供される公知の蒸気表及び／又は数式及び／又は関数を用いることなどによって、特定の入口圧力及び入口温度で以下の通り決定することができる。
【０００４】
【数１】
2014074403.tif 000003
式中、ＰInletは入口１２０での蒸気の圧力、ＴInletは排気口１３０での蒸気の温度である。加えて、排気口エンタルピーｈExhaustは、このような測定値から、ＡＳＭＥ蒸気表／関数に基づいて以下の通り決定することができる。
【０００５】
【数２】
2014074403.tif 000004
式中、ＰExhaustは排気口１５０での蒸気の圧力、ＴExhaustは排気口１５０での蒸気の温度である。次いで、蒸気タービン１１０の効率は、次式を用いて決定することができる。
【０００６】
【数３】
2014074403.tif 000005
式中、ｈpsは特定の圧力及びエントロピー（この事例では、排気圧力ＰExhaust）でのエンタルピーを表し、入口エントロピーｓInletは特定の圧力及びエントロピー（この事例では、入口圧力ＰInlet及び入口エンタルピーｈInlet）でのエントロピーを表す。この場合も同様に、ＡＳＭＥ蒸気表／関数を用いることができるが、湿潤蒸気での温度測定は信頼性がないので、このような測定に基づいて決定されたあらゆるパラメータは疑わしく、湿潤蒸気ではエンタルピー及び効率に関する数式を用いることができない。
【先行技術文献】
【特許文献】
【０００７】
【特許文献１】米国特許第６９０１３４８号明細書
【発明の概要】
【０００８】
本明細書で開示される本発明の実施形態は、蒸気タービンの排気口と選択的に流体連通して、排気口が蒸気タービンの排気の一部を排気口バイパス流として受け取ることができるように配列された排気口バイパス導管を有する蒸気タービン性能試験システムの形態をとることができる。加えて、入口バイパス導管は、蒸気タービンの入口と選択的に流体連通して、該入口バイパス導管が蒸気タービンの入口蒸気流の一部を入口バイパス流として受けることができるように配列することができる。混合流導管は、排気口バイパス導管及び入口バイパス導管と流体連通したある端部にて混合ポイントを有することができる。混合ポイント及び混合流導管は、混合ポイントを通って混合流導管に流入する排気口バイパス流及び入口バイパス流に応答して混合流を形成するように配列することができる。
【０００９】
本発明の実施形態はまた、入口及び排気口を有し、該入口が蒸気供給源に接続するよう配列されたタービンを含む蒸気タービンの形態をとることができる。入口測定ステーションは、入口における特性を測定するよう配列することができ、排気口測定ステーションは、排気口における特性を測定するよう配列することができる。加えて、入口バイパスポートをタービンの入口端部に設けることができ、入口バイパス導管を入口バイパスポートと流体連通させることができる。入口バイパス導管は、入口蒸気を選択的に流入させることができて入口バイパス流を形成するように配列することができる。入口バイパス測定ステーションは、入口バイパス導管における特性を測定するよう配列することができ、排気口バイパスポートをタービンの排気端部に設けることができる。排気口バイパス導管は、排気口バイパスポートと流体連通し、排気蒸気を選択的に流入させることができて排気口バイパス流を形成するように配列することができる。入口バイパス導管及び排気口バイパス導管と流体連通した混合流導管は、混合ポイントにて入口バイパス流及び排気口バイパス流を受けてこれらの混合を可能にして混合流を形成するように配列することができる。混合流測定ステーションは、混合流導管における特性を測定するよう配列することができ、コンピュータデバイスは、入口測定ステーション、排気口測定ステーション、入口測定ステーション、及び混合流測定ステーションと通信してこれらから測定値を受け取ることができる。コンピュータデバイスは更に、測定ステーションから受け取った測定値に少なくとも部分的に基づいて蒸気タービンの排気口エンタルピーを決定するよう配列することができる。
【００１０】
別の実施形態は、入口と排気口とを有する蒸気タービンの性能試験を可能にするコンピュータプログラムを含むことができ、該コンピュータプログラムは、実行時に、排気口からの排気口蒸気の一部を入口からの入口蒸気の一部と共に混合ポイントにて加熱することによって形成される混合流のエンタルピーｈMixを少なくとも決定するコンピュータデバイスを構成したコンピュータ実行可能コードの形態の命令を含む。コンピュータデバイスはまた、入口蒸気の一部のｈInletを少なくとも決定し、混合ポイントの一方の側面上の混合流と、混合ポイントの別の側面上の排気口蒸気の一部及び入口蒸気の一部との間でヒートバランスを確立させるように構成することができる。次いで、コンピュータデバイスは、ヒートバランスに少なくとも部分的に基づいて前記排気口蒸気の排気口エンタルピーｈExhaustを決定するように構成することができる。
【００１１】
本発明の他の態様は、本明細書で記載される措置の一部又は全てを包含し及び／又は実施する、方法、システム、プログラム、及びこれら各々を利用し生成する方法を提供する。本開示の例示した態様は、本明細書に記載した問題点及び／又は記載していないその他の問題点を解決するように設計されている。
【００１２】
本発明のこれら及び他の特徴は、本発明の種々の態様を描いた添付図面を参照しながら、本発明の種々の態様の以下の詳細な説明を詳細に検討することによって完全に理解され認識されるであろう。
【図面の簡単な説明】
【００１３】
【図１】本明細書で開示される本発明の実施形態を適用できる従来の蒸気タービンの概略図。
【図２】本明細書で開示される本発明の実施形態による、蒸気タービン性能試験装置又はシステムを含む蒸気タービンセクションの概略図。
【図３】本明細書で開示される本発明の実施形態による、蒸気タービン性能試験方法の概略フロー図。
【図４】本明細書で開示される本発明の実施形態による、蒸気タービン性能決定システムの作動方法の概略フロー図。
【図５】本明細書で開示される本発明の実施形態による、蒸気タービン性能決定を実施するためのコンピュータ環境の概略ブロック図。
【発明を実施するための形態】
【００１４】
本発明の図面は縮尺通りではない点に留意されたい。当該図面は、本発明の典型的な態様のみを描くことを意図しており、従って、本発明の範囲を限定するものとみなすべきではない。図面では、同じ参照符号は、複数の図面にわたり同じ要素を示している。
【００１５】
この詳細な説明は、例証として図面を参照しながら、本発明の利点及び特徴と共に例示的な実施形態を説明している。
【００１６】
本発明の態様は、湿潤排気を有する蒸気タービンセクションの比較的安価な性能試験を可能にする蒸気タービン性能決定システムを提供する。排気口蒸気の試料を既知の流量、圧力、及び温度の入口蒸気の試料と共に加熱して混合流を形成することにより、入口蒸気と排気口蒸気の交差部にわたってヒートバランスが取られ、排気口エンタルピーの推定値を提供することができる。混合流の温度が混合流の圧力での飽和温度よりも高い間は、この推定値を用いて、蒸気タービンセクションの推定効率を求めることができる。
【００１７】
図２を参照すると、蒸気タービンセクション２００は、典型的な蒸気セクションと同様に、入口２２０及び排気口２３０を有するタービン２１０と、並びに低温再熱セクション２３５とを含むことができる。入口測定ステーション２４０は、１つ又はそれ以上の入口センサー２４２などを用いて入口２１０を通る蒸気流の特性を測定することができ、排気口測定ステーション２５０は、１つ又はそれ以上の排気口センサーなどを用いてタービンセクション排気口２３０を通る蒸気流の特性を測定することができる。１つの実施形態において、入口測定ステーション２４０及び排気口測定ステーション２５０は、それぞれの位置にて圧力及び温度を測定し、入口圧力ＰInlet、入口温度ＴInlet、排気口圧力ＰExhaust、及び排気口温度ＴExhaustを取得するよう構成することができ、これらの値は、米国機械学会（ＡＳＭＥ）によって提供される蒸気表及び／又は関数及び／又は数式を用いて、所望及び適切とすることができるエンタルピー、熱容量、エントロピー、及び／又は他の特性及び／又はパラメータなどの流れの特性を決定するのに用いることができる。ASMEにより提供されるもののような従来の熱力学的関係を用いて、これら特性及び／又は物理量の多くを決定できるが、このような関係は、排気口に湿潤蒸気が存在する場合に排気口エンタルピーについては正常に機能しなくなる。本発明の実施形態は、以下で説明するように、湿潤蒸気が存在する場合でも排気口エンタルピーを決定できる方法を提供する。
【００１８】
加えて、本実施形態は、入口２１０から蒸気を引き込んで入口バイパス流を形成できる入口バイパス導管２６２を含むことができる性能試験装置又はシステム２６０を備えることができる。性能試験装置２６０は更に、排気口２３０から蒸気を引き込み出口バイパス流を形成できる排気口バイパス導管２６４を含むことができる。実施形態において、入口バイパス導管２６２及び排気口バイパス導管２６４が交差して、入口バイパス流及び排気口バイパス流が混合し混合流を形成する混合流導管２６６を形成することができる。入口バイパス導管２６２、排気口バイパス導管２６４、及び混合流導管２６６の交差点は、入口及び排気口バイパス流の混合を開始して混合流を形成することができる混合ポイント２６７とみなすことができる。入口バイパス流は、入口又はその付近でタービン２１０に流入する入口蒸気流の一部又じゃ試料を表し、排気口バイパス流は、排気口２３０にてコンピュータプログラム２１０から流出する排気口蒸気の一部又は試料を表している点を理解されたい。
【００１９】
バイパス測定ステーション２７０が入口バイパス導管２６２に沿って配列され、１つ又はそれ以上のバイパスセンサー２７２などを用いて入口バイパス流の特性を測定することができ、混合流測定ステーション２８０が混合流導管２６６に沿って配列され、１つ又はそれ以上の混合流センサー２８２などを用いて混合流の特性を測定することができる。実施形態において、バイパス測定ステーション２７０は、バイパス流の圧力ＰBypass、温度ＴBypass、及び流量ＱBypassを測定することができ、混合流測定ステーション２８０は、混合流の圧力ＰMix、温度ＴMix、及び流量ＱMixを測定することができる。
【００２０】
本実施形態の性能試験装置２６０は、蒸気タービンセクション２００への一時的な追加部分とすることができる。例えば、通常作動中の蒸気タービンセクション２００は、図１に示すものと似たものとすることができ、存在しないバイパス導管２６２〜２６６及び測定ステーション２７０、２８０を含む試験装置２６０を備えるが、試験装置２６０の取り付けを容易にするために入口バイパスポート２６３及び排気口バイパスポート２６５を含めることができる。試験装置２６０が一時的なものであり、バイパスポート２６３、２６５を含む実施形態において、バイパスポート２６３、２６５は、ボルト、カバー、及び／又は他の好適なシール装置などを用いて蒸気タービンセクション２００の通常作動中にシールすることができる。性能試験が必要とされるときには、バイパスポート２６３、２６５を開放することができ、それぞれのバイパス導管２６２、２６４を取り付けることができる。本実施形態はまた、入口バイパスバルブ２６１及び排気バイパスバルブ２６９を含むことができ、これらは、入口バイパスポート２６３及び排気口バイパスポート２６５をそれぞれ通って入口バイパス導管２６２及び排気口バイパス導管２６４内に入る及び／又は通過する蒸気の通過を選択的に可能にすることができる。その結果、蒸気タービンセクション２００を作動させることができ、試験装置２６０を用いて、蒸気タービンセクション２００の性能を決定することができ、蒸気タービンセクション２００をシャットダウンすることができ、更に試験装置２６０を取り外すことができる。実施形態において、入口及び／又は排気口測定ステーション２４０、２５０は、試験装置２６０の一部とすることができ、他の実施形態では、入口及び／又は排気口測定ステーション２４０、２５０は、蒸気タービンセクション２００の一部として予め存在することができる。
【００２１】
性能試験装置２６０が一時的であるかどうかに関わりなく、測定ステーション２４０、２５０、２７０、２８０が集めた情報をユーザが使用して、それぞれの位置での流れの特性を決定することができるが、実施形態では、コンピュータデバイス２９０が、より迅速に所望の特性を決定するために測定ステーション２４０、２５０、２７０、２８０のそれぞれの何れか及び／又は全てのセンサー２４２、２５２、２７２、２８２から情報を受け取るために設けられて構成することができる。既知の関係を利用して、直接測定できないセクション２００の多くの特性を決定することができるが、本実施形態は、湿潤蒸気がタービン排気中に存在する場合にセクション２００の効率を求める新規の方法を提供する。より具体的には、作動中、入口バイパス導管２６２は、排気口バイパス導管２６４からの湿潤蒸気の排気口バイパス流を加熱する過熱蒸気の入口バイパス流を提供し、加熱された湿潤蒸気の混合流を混合流導管２６６に形成することができる。次いで、混合ポイントの周りで、すなわち、蒸気タービンの排気に湿潤蒸気が存在する場合でも、測定ステーション２４０、２５０、２７０、２８０からの測定値に基づいて、混合バイパス流を形成するための入口バイパス導管２６２と排気口バイパス導管２６４の交差点における混合ポイント２６７のような、入口バイパス流と排気口バイパス流が混合する場所でのヒートバランスを用いて排気口エンタルピーを決定することができる。しかしながら、ヒートバランスの有効性を保証するためには、混合流の温度ＴMixは、混合流の圧力ＰMixに対して混合流の飽和温度よりも高くなければならない。次いで、セクションの排気口エンタルピーｈExhaustを用いて、以下の数式を用いて効率などのセクション性能を示す特性を決定することができる。
【００２２】
【数４】
2014074403.tif 000006
従って、本実施形態は、排気中に湿潤蒸気が存在する場合でも蒸気タービン性能の測定を提供することができる。本実施形態において流量Ｑは直接測定することができるが、他の実施形態は、流れ測定装置の圧力、温度、幾何形状、及び／又は流れ測定装置のような流量が既知であることが望ましい領域にわたる圧力差の関数として流量Ｑを求めることができる。何れの場合においても、入口バイパス流量及び排気口バイパス流量は、混合流の温度ＴMixが混合流圧力ＰMixに対して混合流の飽和温度よりも高くなるように調整し、排気口エンタルピーｈExhaustの妥当な決定を確保する必要がある。
【００２３】
図３で分かるように、蒸気タービン性能試験装置２６０を用いて実施できるような蒸気タービン性能試験方法３００は、概して、入口及び／又は供給蒸気試料と共に排気口蒸気試料を加熱する段階（ブロック３０１）と、蒸気タービンの種々のポイントにおいて流れ性質及び／又は特性を収集及び／又は決定する段階（ブロック３０３）と、排気口及び入口／供給試料の混合ポイントにわたってヒートバランスを取り、排気口エンタルピーを決定する段階（ブロック３０５）と、を含むことができ、次いで、これを用いて蒸気タービンセクションの推定効率を決定することができる（ブロック３０７）。入口及び／又は供給蒸気試料と共に排気口蒸気試料を加熱する（ブロック３０１）ためには、本実施形態は、例えば、入口バイパス流を入口から入口バイパス導管（入口バイパス導管２６２のような）に分流させ（ブロック３０２）、排気口バイパス流及び入口バイパス流を混合流導管に分流させ（ブロック３０４）、入口流及び出口流の交差点が混合ポイントを含む。混合流は、混合流導管において形成することができ、加熱排気口蒸気試料を含む。
【００２４】
流れ性質及び／又は特性を収集及び／又は決定する（ブロック３０３）ためには、本実施形態は、図２に示して上記で考察された１つ又はそれ以上のセンサー２４２、２５２、２７２、２８２を各々が含む１つ又はそれ以上の測定ステーション２４０、２５０、２７０、２８０を利用することができる。測定できる特性は、圧力、温度、及び／又は流量を含むことができるが、センサーは、所望及び／又は適切にあらゆる特性を測定するのに含めることができる。従って、本実施形態は、入口圧力ＰInlet及び／又はＴInletを測定及び／又は他の方法で取得するなどにより、１つ又はそれ以上の入口特性を決定し（ブロック３０６）、排気口圧力ＰExhaustを測定及び／又は他の方法で取得するなどにより、１つ又はそれ以上の排気口特性を決定（ブロック３０８）することができる。本実施形態は更に、タービンが稼働しているときに入口バイパス流が通過すべき入口バイパス導管における１つ又はそれ以上の特性を決定（ブロック３１０）し、また、排気口バイパス流と入口バイパス流との合流及び／又は混合の結果としてタービンが稼働しているときに混合流が通過すべき混合流導管における１つ又はそれ以上の特性を決定（ブロック３１２）することができる。測定可能な入口バイパス特性の実施例には、例えば、上記で提案されたように、圧力ＰBypass、ＰMix、温度ＴBypass、ＴMix、及び流量ＱBypass、ＱMixが挙げられる。
【００２５】
ブロック３０５のヒートバランスの有効性を確保するために、本実施形態は、混合流の温度ＴMixが混合流圧力ＰMixにおける飽和温度Ｔsatよりも大きいかどうかを確認する（ブロック３１４）。ＴMixがＴsatよりも大きい場合には、ヒートバランスを取ることができる（ブロック３０５）。しかしながら、ＴMixがＴsatよりも小さいか又は等しい場合には、入口バイパス流の調整（ブロック３０２）及び／又は排気口バイパス流の調整（ブロック３０４）などによって、排気口蒸気試料の加熱を調整しなければならない（ブロック３０１）。
【００２６】
集められた流れ性質及び／又は特性の一部又は全てを用いてヒートバランスを取り、排気口エンタルピーを決定することができる（ブロック３０５）。例えば、本実施形態は、入口エンタルピーｈInletを決定（ブロック３１６）し、ヒートバランスの第１の側面の一部として入口バイパス流エンタルピーｈBypassを決定（ブロック３１８）し、及び／又はヒートバランスの第２の側面の一部として混合流エンタルピーｈMixを決定（ブロック３２０）することができる。例えば、これらのエンタルピーは、温度、圧力、流量、及びエントロピーなどの収集／決定された性質を用いてＡＳＭＥ関係で決定することができる。次いで、本実施形態は、次式の関係を用いるなどによって、ヒートバランスを解いて排気口エンタルピーｈExhaustを求めることができる。
【００２７】
【数５】
2014074403.tif 000007
本実施形態に従って排気口エンタルピーを決定することにより、原子力発電設備、集光型太陽光発電設備、及び／又は他の低温温度蒸気発生施設に伴う蒸気タービンにおけるような、排気中に湿潤蒸気が存在する場合でも実質的に正確な値が得られる。排気口エンタルピーｈExhaustが決定されると、上述の関係を用いてタービンについての効率のような性能特性を決定（ブロック３０７）することができる。
【００２８】
図４で分かるように、本実施形態は、排気口蒸気試料を入口及び／又は供給蒸気試料と共に加熱できるように、性能試験用のタービン及び／又は試験装置を準備（ブロック４０１）する段階を含むことができる、性能試験装置又はシステム２６０の作動方法４００を含むことができる。試験中、流れ性質及び／又は特性を収集（ブロック４０５）し、排気口及び入口／供給蒸気試料の混合ポイントにわたってヒートバランスを取り（ブロック４０７）、排気口エンタルピーｈExhaustを求めることができるようにする。本実施形態は、上述の関係を用いることなどによって、排気口エンタルピー及び他の性質を用いて蒸気タービン（セクション）の推定効率を決定することができる。ブロック４０７のヒートバランスの有効性を確保するために、本実施形態は、混合流の温度ＴMixが混合流圧力ＰMixにおいて飽和温度Ｔsatよりも大きいかどうかを確認する（ブロック４０９）。ＴMixがＴsatよりも大きい場合には、ヒートバランスを取ることができる（ブロック４０７）。しかしながら、ＴMixがＴsatよりも小さいか又は等しい場合には、入口バイパス流の調整及び／又は排気口バイパス流の調整などによって、排気口蒸気試料の加熱を調整しなければならない（ブロック４０３）。
【００２９】
実施形態においてタービン及び／又は試験装置を準備（ブロック４０１）する段階は、試験すべきタービンをシャットダウン（ブロック４０２）して、性能試験装置又はシステム２６０を取り付ける（ブロック４０４）ことができるようにする段階を含む。次いで、タービンを連結（ブロック４０６）させることができ、排気口蒸気試料と入口／供給蒸気試料の加熱（ブロック４０３）に進むことができる。加えて、流れの性質及び／又は特性を収集及び／又は決定（ブロック４０５）するために、入口圧力ＰInlet及び／又は入口温度ＴInletを測定することなどによって、１つ又は複数の入口状態及び／又は特性を測定（ブロック４０８）することができる。本実施形態は更に、タービンが稼働しているときに入口バイパス流が通過すべき入口バイパス導管２６２の特性を測定（ブロック４１０）することができ、並びにタービン排気口の特性を測定（ブロック４１２）し、混合流導管２６６の特性を測定（ブロック４１４）することができる。このような測定値は、上述の１つ又はそれ以上の測定ステーション２４０、２５０、２７０、２８０の１つ又はそれ以上のセンサー２４２、２５２、２７２、２８２を用いて取得することができる。測定できる特性は、圧力、温度、及び／又は流量を含むことができるが、センサーは、所望及び／又は適切にあらゆる特性を測定するのに含めることができる。測定値の一部又は全ては、ヒートバランスを取り（ブロック４０７）、入口エンタルピーｈInletの決定（ブロック４１６）、入口バイパス流エンタルピーｈBypassの決定（ブロック４１８）、及び／又は混合流エンタルピーｈMixの決定（ブロック４２０）などの際に用いることができ、これらのエンタルピーを用いて、上述の関係を用いるなどによって、湿潤蒸気が排気中に存在する場合でも排気口エンタルピーｈExhaustを決定（ブロック４２２）することができる。排気口エンタルピーが決定されると、上述の関係を用いるなどによってタービンに対する効率のような性能特性を決定（ブロック４２４）することができ、タービンをシャットダウン（ブロック４２６）することができ、次いで、性能試験装置又はシステム２６０を取り外す（ブロック４２８）ことができる。
【００３０】
図５に移ると、本発明の１つの実施形態による、蒸気タービン性能試験コンピュータプログラムの例示的な環境５００が概略的に示される。この点に関して、環境５００は、本実施形態による、図３に示す方法３００のような蒸気タービン性能試験方法及び／又は図４に示す方法４００のような蒸気タービン性能試験装置作動方法を実行するために、図２で見られるコンピュータデバイス２９０及び／又は蒸気タービンの一部とすることができる他のコンピュータデバイス及び／又は本明細書で記載されるプロセスを実施することができる制御システムのような、コンピュータシステム５１０を含む。詳細には、コンピュータシステム５１０は、蒸気タービン性能試験プログラム５２０を含んで示されており、該蒸気タービン性能試験プログラム５２０は、上記で考察した方法３００及び／又は方法４００の実施形態のような、本明細書で記載されるプロセスを実施することにより蒸気タービン性能試験制御システム又はコントローラにおいてデータを管理するようコンピュータシステム５１０を動作可能にする。
【００３１】
コンピュータシステム５１０は、プロセッシング構成要素又はユニット（ＰＵ）５１２（例えば、１つ又はそれ以上のプロセッサ）、入力／出力（Ｉ／Ｏ）構成要素５１４（例えば、１つ又はそれ以上のＩ／Ｏインタフェース及び／又はデバイス）、ストレージ構成要素５１６（例えば、記憶階層構造）、及び通信経路５１７を含めて図示されている。一般に、プロセッシング構成要素５１２は、蒸気タービン性能試験プログラム５２０のような、ストレージ構成要素５１６内に少なくとも部分的に入れられるプログラムコードを実行し、ストレージ構成要素５１６は、１つ又はそれ以上のコンピュータ可読記憶媒体又はデバイスを含むことができる。プログラムコードを実行している間、プロセッシング構成要素５１２は、データを処理することができ、これにより、後で更に処理するために変換データをストレージ構成要素５１６及び／又はＩ／Ｏ構成要素５１４との間で読み込み及び／又は書き込みを生じることができる。通信経路５１７は、コンピュータシステム５２０における構成要素の各々間の通信リンクを提供する。Ｉ／Ｏ構成要素５１４は、人間のユーザがコンピュータシステム５１０と対話することを可能にする１つ又はそれ以上のヒューマンＩ／Ｏデバイス、及び／又はあらゆるタイプの通信リンクを用いてシステムユーザがコンピュータシステム５１０と通信できるようにする１つ又はそれ以上の通信デバイスを備えることができる。加えて、Ｉ／Ｏ構成要素５１４は、上記で考察したセンサー２４２、２５２、２７２、２８２の何れか又は全てのような１つ又はそれ以上のセンサーを含むことができる。実施形態において、ネット−ワークハードウェア／ソフトウェアなどの通信装置５３０により、コンピュータシステム５１０は、設置されるノードの内外の他のデバイスと通信できるようになる。これに関して、蒸気タービン性能試験プログラム５２０は、人間及び／又はシステムユーザが蒸気タービン性能試験プログラム５２０と対話可能にするインタフェースのセット（例えば、グラフィカルユーザインタフェース、アプリケーションプログラムインタフェース、及び／又は同様のもの）を管理することができる。更に、蒸気タービン性能試験プログラム５２０は、何らかの解決策を用いて蒸気タービン性能試験データ５１８のようなデータを管理（例えば、格納、検索、作成、操作、編成、表示、その他）することができる。実施形態において、データは、測定ステーション２４０、２５０、２７０、２８０及び／又は上記で考察したセンサー２４２、２５２、２７２、２８２の何れか又は全てのような１つ又はそれ以上のセンサーから受け取ることができる。
【００３２】
コンピュータシステム５１０は、そこにインストールされた蒸気タービン性能試験プログラム５２０のようなプログラムコードを実行可能な１つ又はそれ以上の汎用コンピュータ製品（例えば、コンピュータデバイス）を含むことができる。本明細書で使用される場合、「プログラムコード」は、あらゆる言語、コード又は表記法のあらゆる命令集合を意味し、情報処理能力を有するコンピュータデバイスが直接的に、或いは、以下：（ａ）別の言語、コード又は表記法への変換；（ｂ）異なるマテリアル形態での展開；及び／又は（ｃ）復元の何れかの組み合わせの後、特定のアクションを実施するようにするものである点は理解される。加えて、コンピュータコードは、オブジェクトコード、ソースコード、及び／又は実行可能コードを含むことができ、更に、少なくとも１つのコンピュータ可読媒体上で実施されたときにコンピュータプログラムの一部を形成することができる。用語「コンピュータ可読媒体」は、プログラムコードのコピーをコンピュータデバイスにより認識し、再生し、或いは通信することができる、現在知られており又は今後開発される有形表現媒体の何れかのタイプの１つ又はそれ以上を含むことができる点は理解される。例えば、コンピュータ可読媒体は、ストレージデバイスを含む１つ又はそれ以上のポータブル記憶製造物品、コンピュータデバイスの１つ又はそれ以上のメモリ／ストレージ構成要素、紙、及び／又は同様のものを含むことができる。メモリ／ストレージ構成要素及び／又はストレージデバイスの実施例には、磁気媒体（フロッピー(登録商標）ディスク、ハードディスクドライブ、テープ、その他）、光学媒体（コンパクトディスク、デジタル多用途／ビデオディスク、磁気光学ディスク、その他）、ランダムアクセスメモリ（ＲＡＭ）、リードオンリーメモリ（ＲＯＭ）、フラッシュＲＯＭ、消去可能プログラム可能リードオンリーメモリ（ＥＰＲＯＭ）、或いは、現在公知の及び／又は将来開発及び／又は発見される、コンピュータプログラムコードが格納されて、コンピュータがコンピュータプログラムコードをロードして実行することができる他の何れかの有形のコンピュータ可読記憶媒体を含む。コンピュータがコンピュータプログラムコードを実行すると、該プログラムコードは本発明を実施する装置となり、汎用マイクロプロセッサ上では、コンピュータコードセグメントを有してマイクロプロセッサを構成することにより、専用の論理回路が作成される。
【００３３】
実行可能命令の技術的作用は、性能試験装置又はシステムを用いて、排気中に湿潤蒸気が生じる可能性がある蒸気タービンの性能特性を監視し測定する蒸気タービン性能試験方法及び／又はシステム及び／又はコンピュータプログラムを実施することである。蒸気タービン性能試験方法又はシステムは、入口又はその前で主又は入口蒸気から引き出された入口バイパス流のタービン入口で得た測定値、及びタービン排気口又はその直後で引き出された排気口バイパス流と入口バイパス流を混合することにより生成される混合流のタービン排気口で得た測定値に基づいてタービンの排気口エンタルピーを決定することができる。このようにして入口バイパス流と共に排気口バイパス流を加熱することによって、湿潤蒸気は、その性質を遙かに容易に測定及び／又は決定することができる乾燥蒸気に変換することができる。
【００３４】
コンピュータプログラムコードは、何らかのプログラミング言語でエンコードされたソフトウェアの形態など、コントローラによって実行可能なコンピュータ命令で記述することができる。好適なコンピュータ命令及び／又はプログラミング言語の実施例には、限定ではないが、アセンブリ言語、Ｖｅｒｉｌｏｇ、Ｖｅｒｉｌｏｇ  ＨＤＬ（Ｖｅｒｉｌｏｇハードウェア記述言語）、超高速集積回路用ハードウェア記述言語（ＶＨＳＩＣ  ＨＤＬ又はＶＨＤＬ）、ＦＯＲＴＲＡＮ（Ｆｏｒｍｕｌａ  Ｔｒａｎｓｌａｔｉｏｎ）、Ｃ、Ｃ＋＋、Ｃ＃、Ｊａｖａ(登録商標）、ＡＬＧＯＬ（アルゴル、Ａｌｇｏｒｉｔｈｍｉｃ  Ｌａｎｇｕａｇｅ）、ＢＡＳＩＣ（Ｂｅｇｉｎｎｅｒ  Ａｌｌ−Ｐｕｒｐｏｓｅ  Ｓｙｍｂｏｌｉｃ  Ｉｎｓｔｒｕｃｔｉｏｎ  Ｃｏｄｅ）、ＡＰＬ（Ａ  Ｐｒｏｇｒａｍｍｉｎｇ  Ｌａｎｇｕａｇｅ）、ＡｃｔｉｖｅＸ、Ｐｙｔｈｏｎ、Ｐｅｒｌ、ｐｈｐ、Ｔｃｌ（Ｔｏｏｌ  Ｃｏｍｍａｎｄ  Ｌａｎｇｕａｇｅ）、ＨＴＭＬ（ハイパーテキスト・マークアップ言語、ＨｙｐｅｒＴｅｘｔ  Ｍａｋｅｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）、及びこれら及び／又は現在公知の及び／又は将来開発及び／又は発見される他のものの１つ又はそれ以上の任意の組み合わせ又は派生物を含む。この点に関して、蒸気タービン性能試験プログラム５２０は、システムソフトウェア及び／又はアプリケーションソフトウェアのあらゆる組み合わせとして具現化することができる。
【００３５】
更に、蒸気タービン性能試験プログラム５２０は、モジュール５２２のセットを用いて実施することができる。この事例では、モジュール５２２により、コンピュータシステム５１０が、蒸気タービン性能試験プログラム５２０によって使用されるタスクのセットを実施することができ、該モジュールは、蒸気タービン性能試験プログラム５２０の他の部分とは別個に開発し、及び／又は実施することができる。本明細書で使用される場合、用語「構成要素」は、ソフトウェアの有無に関係なく、何らかの解決策を用いて共に説明される機能を実施するハードウェアの何らかの構成を意味し、用語「モジュール」は、何らかの解決策を用いて共に説明される機能をコンピュータシステム５２０が実施できるようにするプログラムコードを意味する。プロセッシング構成要素５１２を含むコンピュータシステム５１０のストレージ構成要素５２６に入れられる場合、モジュールは、動作を実施する構成要素の実質的部分である。何れにしても、２つ又はそれ以上の構成要素、モジュール、及び／又はシステムは、それぞれのハードウェア及び／又はソフトウェアの一部／全てを共有できる点は理解される。更に、本明細書で考察される機能の一部は実施されなくてもよく、或いは、追加の機能をコンピュータシステム５１０の一部として含めてもよい点は理解される。
【００３６】
コンピュータシステム５１０が複数のコンピュータデバイスを含む場合には、各コンピュータデバイスは、その上（例えば、１つ又はそれ以上のモジュール５２２上）に入れられる蒸気タービン性能試験プログラム５２０の一部のみを有することができる。しかしながら、コンピュータシステム５１０及び蒸気タービン性能試験プログラム５２０は、本明細書で記載されるプロセスを実施できる様々な可能な等価的なコンピュータシステムの代表例に過ぎない点は理解される。この点に関して、他の実施形態では、コンピュータシステム５１０及び蒸気タービン性能試験プログラム５２０によって提供される機能は、プログラムコードの有無に関係なく汎用及び／又は専用のハードウェアのあらゆる組合せを含む１つ又はそれ以上のコンピュータデバイスによって少なくとも部分的に実施することができる。各実施形態において、ハードウェア及びプログラムコード（含まれる場合）は、標準的なエンジニアリング及びプログラミング技術を用いて作成することができる。
【００３７】
何れにしても、コンピュータシステム５１０が複数のコンピュータデバイスを含む場合には、コンピュータデバイスは、あらゆるタイプの通信リンクを介して通信することができる。更に、本明細書で記載されるプロセスを実施している間、コンピュータシステム５１０は、あらゆるタイプの通信リンクを用いて１つ又はそれ以上の他のコンピュータシステムと通信することができる。何れの場合においても、通信リンクは、種々のタイプの有線及び／又は無線リンクのあらゆる組合せを含み、１つ又はそれ以上のタイプのネットワークのあらゆる組合せを含み、及び／又は現在公知及び／又は将来開発され及び／又は発見される種々のタイプの伝送技術及びプロトコルのあらゆる組合せを利用することができる。
【００３８】
本明細書で考察されるように、蒸気タービン性能試験プログラム５２０により、コンピュータシステム５１０は、図３に概略的に示すような蒸気タービン性能試験製品及び／又は方法、及び／又は図４に概略的に示すような蒸気タービン性能試験装置作動製品及び／又は方法を実施できる。コンピュータシステム５１０は、あらゆる解決策を用いて蒸気タービン性能試験データ５１８を取得することができる。例えば、コンピュータシステム５１０は、蒸気タービン性能試験データ５１８を生成し、１つ又はそれ以上のデータ記憶装置から蒸気タービン性能試験データ５１８を受け取り、蒸気タービン性能試験システムの内外のセンサー２４２、２５２、２６２、２７２、２８２のうちの１つ又はそれ以上のように別のシステムから蒸気タービン性能試験データ５１８を受け取り、及び／又はその他を行うのに用いることができる。
【００３９】
別の実施形態において、本発明は、蒸気タービン性能試験プログラム５２０（図５）のような、図３及び４に概略的に示され且つ参照して説明されるものなどの本明細書で記載されるプロセスの一部又は全てを実装するプログラムコードのコピーを提供する方法をもたらす。この事例では、コンピュータシステムは、本明細書で記載されるプロセスの一部又は全てを実装するプログラムコードのコピーを処理し、第２の別個の位置にて受信するために、データ信号のセットでプログラムコードのコピーを符号化するようにして特性の１つ又はそれ以上を設定及び／又は変更したデータ信号のセットを生成及び送信することができる。同様に、本発明の実施形態は、本明細書で記載されるプロセスの一部又は全てを実装するプログラムコードのコピーを収集する方法を提供し、該方法は、コンピュータシステムが、本明細書で記載されるデータ信号のセットを読み出す段階と、データ信号のセットを少なくとも１つの有形のコンピュータ可読媒体に入れられたコンピュータプログラムのコピーに翻訳する段階とを含む。何れの場合においても、データ信号のセットは、何れかのタイプの通信リンクを用いて送信／受信することができる。
【００４０】
更に別の実施形態において、本発明は、蒸気タービン性能試験製品及び／又は方法、及び／又は蒸気タービン性能試験装置作動製品及び／又は方法を実施するためのシステムを生成する方法を提供する。この場合、コンピュータシステム５１０（図５）のようなコンピュータシステムを取得（例えば、作成、維持、利用、その他）することができ、本明細書で記載されるプロセスを実施するための１つ又はそれ以上の構成要素を取得（作成、購入、使用、修正、その他）し、コンピュータシステムに配備することができる。この点に関して、この配備は、（１）コンピュータデバイスにプログラムコードをインストールする段階；（２）１つ又はそれ以上のコンピュータ及び／又はＩ／Ｏデバイスをコンピュータシステムに付加する段階；（３）コンピュータシステムを導入及び／又は修正し、本明細書で記載されるプロセスを実施可能にする段階；及び同様のものの１つ又はそれ以上を含むことができる。
【００４１】
限られた数の実施形態のみに関して本発明を詳細に説明してきたが、本発明はこのような開示された実施形態に限定されないことは理解されたい。むしろ、本発明は、上記で説明されていない多くの変形、改造、置換、又は均等な構成を組み込むように修正することができるが、これらは、本発明の技術的思想及び範囲に相応する。加えて、本発明の種々の実施形態について説明してきたが、本発明の態様は記載された実施形態の一部のみを含むことができる点を理解されたい。従って、本発明は、上述の説明によって限定されると見なすべきではなく、添付の請求項の範囲によってのみ限定される。
【符号の説明】
【００４２】
１００  蒸気タービンセクション
１１０  タービン
１２０  タービン入口
１３０  タービン排気口
１３５  低温再熱部
１４０  入口測定ステーション
１４２  入口センサー
１５０  排気口測定ステーション
１５２  排気口センサー
２００  蒸気タービンセクション
２１０  タービン
２２０  タービン入口
２３０  タービン排気口
２３５  低温再熱セクション
２４０  入口測定ステーション
２４２  入口センサー
２５０  排気口測定ステーション
２５２  排気口センサー
２６０  性能試験装置／システム
２６１  入口バイパスバルブ
２６２  入口バイパス導管
２６３  入口バイパスポート
２６４  排気口バイパス導管
２６５  排気口バイパスポート
２６６  混合流導管
２６７  混合ポイント
２７０  バイパス測定ステーション
２７２  バイパスセンサー
２８０  混合流測定ステーション
２８２  混合流センサー
３００  蒸気タービン性能試験方法
５００  例示的な環境
５１０  コンピュータシステム
５１２  プロセッシング構成要素又はユニット（ＰＵ）
５１４  入力／出力（Ｉ／Ｏ）構成要素
５１６  ストレージ構成要素
５１７  通信経路
５１８  蒸気タービン性能試験データ
５２０  蒸気タービン性能試験プログラム
５２２  モジュール
【図１】
2014074403.tif 000013
【図２】
2014074403.tif 000014
【図３】
2014074403.tif 000015
【図４】
2014074403.tif 000016
【図５】
2014074403.tif 000017